(57)【要約】【課題】空気調和機の使用冷媒の地球温暖化影響度を簡便かつ確実にユーザに認識させることを目的とする。【解決手段】冷媒としてフロン冷媒を使用する空気調和機本体１０と、空気調和機本体１０を遠隔制御するリモートコントローラ２０とを備えた空気調和機１００において、リモートコントローラ２０が、空気調和機本体１０に封入されたフロン冷媒の種類に応じて決定される地球温暖化係数（ＧＷＰ）と、封入されたフロン冷媒の量とから計算される地球温暖化影響度を表示する表示部２１を備える。【選択図】図１
2011058698.tif 000002
【特許請求の範囲】
【請求項１】
冷媒としてフロン冷媒を使用する空気調和機本体と、前記空気調和機本体を遠隔制御するリモートコントローラとを備えた空気調和機であり、
前記リモートコントローラは、
前記空気調和機本体に封入された前記フロン冷媒の種類に応じて決定される地球温暖化係数と、封入された前記フロン冷媒の量とから計算される地球温暖化影響度を表示する表示部
を備えることを特徴とする空気調和機。
【請求項２】
前記空気調和機本体は、
封入された前記フロン冷媒についての前記地球温暖化係数と封入された前記フロン冷媒の量とを予め記憶した記憶部を備え、
前記表示部は、前記記憶部が記憶した前記フロン冷媒についての地球温暖化係数と量とから計算された前記地球温暖化影響度を表示する
ことを特徴とする請求項１に記載の空気調和機。
【請求項３】
前記空気調和機本体は、
封入された前記フロン冷媒についての前記地球温暖化係数を予め記憶した記憶部と、
封入された前記フロン冷媒の量を所定の方法により計算する冷媒量計算部とを備え、
前記表示部は、前記記憶部が記憶した前記地球温暖化係数と、前記冷媒量計算部が計算した前記フロン冷媒の量とから計算された前記地球温暖化影響度を表示する
ことを特徴とする請求項１に記載の空気調和機。
【請求項４】
前記リモートコントローラは、
前記記憶部が記憶した前記地球温暖化係数を入力する係数入力部を備え、
前記記憶部は、前記係数入力部が入力した前記地球温暖化係数により、記憶している前記地球温暖化係数を更新する
ことを特徴とする請求項２又は３に記載の空気調和機。
【請求項５】
前記リモートコントローラは、
前記空気調和機本体の制御情報を入力する制御情報入力部を備え、
前記表示部は、前記制御情報入力部から運転開始の指示が入力された場合に、前記地球温暖化影響度を所定の時間表示する
ことを特徴とする請求項１から４までのいずれかに記載の空気調和機。
【請求項６】
前記表示部は、前記地球温暖化影響度を所定の時間表示した後、前記地球温暖化影響度から前記空気調和機本体の運転状態を示す情報に表示内容を切り替える
ことを特徴とする請求項５に記載の空気調和機。
【請求項７】
前記空気調和機本体は、
封入された前記フロン冷媒についての前記地球温暖化係数と封入された前記フロン冷媒の量とを前記リモートコントローラへ送信する送信部を備え、
前記リモートコントローラは、
前記送信部が送信した前記地球温暖化係数と前記フロン冷媒の量とを受信する受信部と、
前記受信部が受信した前記地球温暖化係数と前記フロン冷媒の量とから前記地球温暖化影響度を計算する影響度計算部とを備え、
前記表示部は、前記影響度計算部が計算した前記地球温暖化影響度を表示する
ことを特徴とする請求項１から６のいずれかに記載の空気調和機。
【請求項８】
前記空気調和機本体は、
封入された前記フロン冷媒についての前記地球温暖化係数と封入された前記フロン冷媒の量とから前記地球温暖化影響度を計算する影響度計算部と、
前記影響度計算部が計算した前記地球温暖化影響度を前記リモートコントローラへ送信する送信部とを備え、
前記リモートコントローラは、
前記送信部が送信した前記地球温暖化影響度を受信する受信部を備え、
前記表示部は、前記受信部が受信した前記地球温暖化影響度を表示する
ことを特徴とする請求項１から６のいずれかに記載の空気調和機。
【請求項９】
フロン冷媒を使用する空気調和機のリモートコントローラであり、
前記空気調和機の本体に封入された前記フロン冷媒の種類に応じて決定される地球温暖化係数と、封入された前記フロン冷媒の量とから計算される地球温暖化影響度を表示する表示部
を備えることを特徴とする空気調和機のリモートコントローラ。
【発明の詳細な説明】
【技術分野】
【０００１】
この発明は、例えば、使用冷媒による地球温暖化に与える影響度を示す地球温暖化影響度を表示する手段を備える空気調和機に関する。
【背景技術】
【０００２】
空気調和機では、冷媒としてフロン冷媒が使用される場合がある。フロン冷媒は、温室効果ガスであり、地球温暖化の一因となる。そのため、フロン冷媒を徹底して回収し、大気中への放出を抑制することが求められている。
温室効果ガスを使用していることへの認知を促してフロン冷媒の回収の啓発を強化するため、使用するフロン冷媒の地球温暖化に与える影響度を示す地球温暖化影響度を空気調和機に表示するよう求められている。一般的な地球温暖化影響度の表示方法としては、冷媒の種類、量を空気調和機本体の外郭に貼り付けたラベルで表示する方法がある。
なお、地球温暖化影響度とは、フロン冷媒のＣＯ２換算量を示すものである。
【先行技術文献】
【特許文献】
【０００３】
【特許文献１】特開２００７−１６３１０３号公報
【発明の概要】
【発明が解決しようとする課題】
【０００４】
しかし、空気調和機本体の外郭にラベルを貼り付けて表示した場合、ラベルの剥がれや汚れ等により判読不能に陥る可能性がある。また、ユーザは、空気調和機本体に貼り付けられたラベルを確認しない可能性もある。したがって、空気調和機で使用している冷媒が、地球温暖化の一因となるフロン冷媒であり、空気調和機の廃棄時には回収する必要があることをユーザに認識されていない可能性がある。
この発明は、例えば、空気調和機の使用冷媒の地球温暖化影響度を簡便かつ確実にユーザに認識させることを目的とする。
【課題を解決するための手段】
【０００５】
この発明に係る空気調和機は、例えば、
冷媒としてフロン冷媒を使用する空気調和機本体と、前記空気調和機本体を遠隔制御するリモートコントローラとを備えた空気調和機であり、
前記リモートコントローラは、
前記空気調和機本体に封入された前記フロン冷媒の種類に応じて決定される地球温暖化係数と、封入された前記フロン冷媒の量とから計算される地球温暖化影響度を表示する表示部
を備えることを特徴とする。
【発明の効果】
【０００６】
この発明に係る空気調和機では、リモートコントローラに地球温暖化影響度を表示するため、使用冷媒の地球温暖化影響度を簡便かつ確実にユーザに認識させることができる。
【図面の簡単な説明】
【０００７】
【図１】実施の形態１に係る空気調和機１００の構成図。
【図２】空気調和機本体１０の冷媒回路図。
【図３】冷媒の種類と地球温暖化係数（ＧＷＰ）との関係を示す図。
【図４】実施の形態１に係る空気調和機１００の機能構成を示す図。
【図５】地球温暖化影響度の表示方法の説明図。
【図６】実施の形態２に係る空気調和機１００の機能構成を示す図。
【図７】実施の形態３に係る空気調和機１００の機能構成を示す図。
【図８】実施の形態４に係る空気調和機１００の機能構成を示す図。
【発明を実施するための形態】
【０００８】
以下、図に基づき空気調和機１００について説明する。
なお、以下の説明において、空気調和機１００は冷媒として、Ｒ４１０等のフロン冷媒を使用するものとする。
【０００９】
実施の形態１．
図１は、実施の形態１に係る空気調和機１００の構成図である。
図２は、空気調和機本体１０の冷媒回路図である。
図１に示すように、空気調和機１００は、室外機１と室内機２とを有する空気調和機本体１０とリモートコントローラ２０とを備える。
【００１０】
図２に示すように、空気調和機本体１０は、圧縮機３と、四方弁４と、第１熱交換器５と、膨張機構６と、第２熱交換器７とを備え、これらを冷媒配管により順次接続して冷凍サイクルを構成する。なお、室外機１は、圧縮機３と、四方弁４と、第１熱交換器５と、膨張機構６とを備え、室内機２は、第２熱交換器７を備える。
冷房運転時には、四方弁４が図２における実線のように接続され、冷媒が圧縮機３、四方弁４、第１熱交換器５、膨張機構６、第２熱交換器７の順に流れる。この場合、第１熱交換器５が放熱器（凝縮器）、第２熱交換器７が蒸発器として働く。
一方、暖房時には、四方弁４が図２における破線のように接続され、冷媒が圧縮機３、四方弁４、第２熱交換器７、膨張機構６、第１熱交換器５の順に流れる。この場合、第２熱交換器７が放熱器（凝縮器）、第１熱交換器５が蒸発器として働く。
【００１１】
図１に示すように、リモートコントローラ２０は、表示部２１と、入力部２２とを備え、空気調和機本体１０を遠隔制御する。
表示部２１は、例えば、ＬＣＤ（Ｌｉｑｕｉｄ  Ｃｒｙｓｔａｌ  Ｄｉｓｐｌａｙ）であり、空気調和機本体１０の運転状態を表示する。表示部２１は、例えば、運転中であるか否か、冷房運転であるか暖房運転であるか、設定温度、設定風量、風向き等の運転状態についての情報を表示する。
入力部２２は、例えば、複数のボタンから構成され、空気調和機本体１０の制御情報を入力する。例えば、入力部２２は、運転開始や運転停止の指示や、冷房運転や暖房運転の切り替えや、設定温度、設定風量、風向き等の制御情報を入力する。
【００１２】
ここで、上述したように、空気調和機１００は冷媒としてフロン冷媒を使用する。つまり、空気調和機本体１０が構成する冷凍サイクルを循環する冷媒はフロン冷媒である。そこで、リモートコントローラ２０の表示部２１は、さらに、空気調和機本体１０が構成する冷凍サイクルを循環する冷媒、すなわち空気調和機本体１０に封入された冷媒の地球温暖化影響度を表示する。これにより、空気調和機１００で使用されている冷媒がフロン冷媒であり、空気調和機１００を廃棄する際には、空気調和機１００に封入された冷媒を回収する必要があることをユーザに認識させる。
【００１３】
図３は、冷媒の種類と地球温暖化係数（ＧＷＰ）との関係を示す図である。なお、図３に示す冷媒の種類と地球温暖化係数との関係は、ＩＰＣＣ（気候変動に関する政府間パネル）の評価報告書によるものである。また、図３における第２次は１９９５年、第３次は２００１年、第４次は２００７年にそれぞれ発行されたものである。
冷媒の種類に応じて地球温暖化係数が決まっている。地球温暖化係数とは、ＣＯ２を基準に、その気体の大気中における濃度あたりの温室効果の１００年間の強さを比較して表したものである。そして、地球温暖化係数と冷媒量との積が、地球温暖化影響度となる。例えば、冷媒種類がＲ４１０Ａ，封入量が１ｋｇの場合のＣＯ２換算量、つまり地球温暖化影響度は、第４次の地球温暖化係数を用いると、「地球温暖化影響度（ｋｇ）＝１（ｋｇ）×２０９０＝２０９０（ｋｇ）」と算出される。すなわち、１ｋｇの冷媒Ｒ４１０Ａは，ＣＯ２に換算して約２トン分の温室効果を持つことになる。
【００１４】
空気調和機１００の機能について詳しく説明する。
図４は、実施の形態１に係る空気調和機１００の機能構成を示す図である。
空気調和機本体１０は、記憶部１１、影響度計算部１２、通信部１３を備える。なお、通信部１３は送信部１４、受信部１５を備える。
リモートコントローラ２０は、表示部２１、入力部２２、通信部２３を備える。なお、通信部２３は、受信部２４、送信部２５を備える。
【００１５】
空気調和機本体１０について説明する。
記憶部１１は、例えば、ＲＡＭ（Ｒａｎｄｏｍ  Ａｃｃｅｓｓ  Ｍｅｍｏｒｙ）であり、予め封入された冷媒の種類に対応した地球温暖化係数と、封入された冷媒の量とを記憶する。つまり、空気調和機１００の工場出荷時には、記憶部１１は地球温暖化係数と冷媒の量とを記憶している。
影響度計算部１２は、ＣＰＵ等の処理装置により、記憶部１１が記憶した地球温暖化係数と冷媒の量とから地球温暖化影響度を計算する。
通信部１３は、リモートコントローラ２０と通信を行う通信装置である。送信部１４は影響度計算部１２が計算した地球温暖化影響度を示す情報等をリモートコントローラ２０へ送信し、受信部１５は後述するリモートコントローラ２０の送信部２５が送信した制御情報等を受信する。
【００１６】
リモートコントローラ２０について説明する。
通信部２３は、空気調和機本体１０と通信を行う通信装置である。受信部２４は空気調和機本体１０の送信部１４が送信した地球温暖化影響度を示す情報等を受信し、送信部２５は入力部２２が入力した制御情報等を空気調和機本体１０へ送信する。
表示部２１は、上述したように、空気調和機本体１０の運転状態を表示するとともに、空気調和機本体１０に封入された冷媒の地球温暖化影響度を表示する。特に、表示部２１は、受信部２４が空気調和機本体１０から受信した地球温暖化影響度を示す情報に基づき、地球温暖化影響度を表示する。
入力部２２は、上述したように、空気調和機本体１０の制御情報を入力する。
【００１７】
図５は、地球温暖化影響度の表示方法の説明図である。
図５では、空気調和機１００が運転を開始した場合に、地球温暖化影響度を所定の時間表示する例を示す。
運転開始前、すなわち停止中は、表示部２１は無表示である。あるいは、停止中であることを表示してもよい。
ユーザがリモートコントローラ２０の入力部２２を操作して、運転開始の指示を入力する。すると、入力部２２から入力された運転開始の制御情報を送信部２５が空気調和機本体１０へ送信する。空気調和機本体１０の受信部１５が運転開始の制御情報を受信すると、空気調和機本体１０が運転を開始する。すると、影響度計算部１２は地球温暖化影響度を計算し、送信部１４は影響度計算部１２が計算した地球温暖化影響度を示す情報をリモートコントローラ２０へ送信し、リモートコントローラ２０の受信部２４は地球温暖化影響度を示す情報を受信する。そして、表示部２１は、受信部２４が受信した地球温暖化影響度を所定の時間表示する。ここでは、表示部２１は、地球温暖化影響度を「△ｔｏｎのＣＯ２に相当する冷媒を使用」とのメッセージとして表示している。
そして、地球温暖化影響度を所定の時間表示した後、表示部２１は、表示内容を空気調和機本体１０の運転状態を示す情報に変更する。
【００１８】
なお、図５では、運転開始時に、所定の時間、地球温暖化影響度を表示する例を説明した。しかし、例えば、運転停止時、すなわち入力部２２が運転停止の制御情報を入力した場合に、表示部２１は、所定の時間、地球温暖化影響度を表示し、地球温暖化影響度を所定の時間表示した後、表示内容を運転が停止中であることを示す情報に変更してもよい。
また、運転の開始や停止に限らず、入力部２２が何らかの制御情報を入力した場合に、所定の時間、地球温暖化影響度を表示し、地球温暖化影響度を所定の時間表示した後、表示内容を変更してもよい。
また、図５では、表示部２１の全面に地球温暖化影響度を表示したが、例えば、表示部２１の表示面積の２／３、半分、１／３程度の範囲に地球温暖化影響度を表示してもよい。いずれにせよ、表示部２１に大きく地球温暖化影響度を表示することで、地球温暖化影響度を強くユーザに認識させることができる。
【００１９】
また、表示部２１は、運転中常に、運転状態を示す情報とともに地球温暖化影響度を表示してもよい。同様に、表示部２１は、運転停止中常に、地球温暖化影響度を表示してもよい。
【００２０】
また、表示部２１は、地球温暖化影響度を分かりやすく表示するためメータ表示や絵文字やアニメーションを用いてもよい。
また、リモートコントローラ２０あるいは空気調和機本体１０は、表示部２１の表示と合わせて音声等を出力する音声出力部を備えてもよい。
【００２１】
以上のように、実施の形態１に係る空気調和機１００では、リモートコントローラ２０が備える表示部２１が地球温暖化影響度を表示する。リモートコントローラ２０は、ユーザが直接手で触れて操作するものであり、ユーザは運転状態の確認をする際にリモートコントローラ２０の表示部２１を必ず見る。そのため、リモートコントローラ２０が備える表示部２１が地球温暖化影響度を表示した場合には、空気調和機本体１０にラベルを貼り付けて地球温暖化影響度を表示した場合に比べ、確実に地球温暖化影響度についてユーザに認識させることができる。
特に、運転開始の制御情報を入力した場合には、運転状態が所望の運転状態であるか否かを確認するため、概ねの場合ユーザはリモートコントローラ２０の表示部２１を確認する。したがって、運転開始の制御情報を入力した場合に、所定の時間、地球温暖化影響度を表示することで、確実に地球温暖化影響度についてユーザに認識させることができる。
したがって、実施の形態１に係る空気調和機１００によれば、空気調和機１００が使用する冷媒がフロン冷媒であり、空気調和機１００を廃棄する場合には冷媒を回収する必要があることをユーザに簡便かつ確実に認識させることができる。
【００２２】
実施の形態２．
図６は、実施の形態２に係る空気調和機１００の機能構成を示す図である。
図４に示す空気調和機１００では、空気調和機本体１０が影響度計算部１２を備え、空気調和機本体１０で地球温暖化影響度が計算された。しかし、図６に示す空気調和機１００では、リモートコントローラ２０が影響度計算部２６を備え、リモートコントローラ２０で地球温暖化影響度が計算される点が図４に示す空気調和機１００とは異なる。
【００２３】
具体的には、図６に示す空気調和機１００において、空気調和機本体１０の送信部１４は、記憶部１１が記憶した地球温暖化係数と冷媒の量とをリモートコントローラ２０へ送信する。
リモートコントローラ２０の受信部２４は、空気調和機本体１０の送信部１４が送信した地球温暖化係数と冷媒の量とを受信する。リモートコントローラ２０の影響度計算部２６は、ＣＰＵ等の処理装置により、受信部２４が受信した地球温暖化係数と冷媒の量とから地球温暖化影響度を計算する。そして、表示部２１は、影響度計算部２６が計算した地球温暖化影響度を表示する。
【００２４】
実施の形態２に係る空気調和機１００でも、実施の形態１に係る空気調和機１００と同様の効果を得ることができる。
【００２５】
実施の形態３．
図７は、実施の形態３に係る空気調和機１００の機能構成を示す図である。
図７に示す空気調和機１００では、空気調和機本体１０がさらに冷媒量計算部１６を備える点が図４に示す空気調和機１００とは異なる。
【００２６】
冷媒量計算部１６は、ＣＰＵ等の処理装置により、空気調和機本体１０に封入された冷媒の量を計算する。空気調和機本体１０に封入された冷媒の量を計算する方法については、どのような方法であってもよく、例えば、特許文献１等に記載された方法でよい。記憶部１１は、冷媒量計算部１６が計算した冷媒の量により、記憶している冷媒の量を更新する。そして、影響度計算部１２は、記憶部１１が記憶した地球温暖化係数と、更新された冷媒の量とから地球温暖化影響度を計算する。
そして、送信部１４は、影響度計算部１２が計算した地球温暖化影響度をリモートコントローラ２０へ送信して、リモートコントローラ２０の表示部２１に表示させる。
【００２７】
空気調和機１００を設置する場合に、室外機１と室内機２とを接続する配管の長さが長い場合等には、冷媒を追加封入する場合がある。このような場合には、工場出荷時に記憶部１１が記憶した冷媒の量と、実際に封入されている冷媒の量とに不一致が生じる。その結果、上記実施の形態に係る空気調和機１００では、表示する地球温暖化影響度と、実際に封入されている冷媒の地球温暖化影響度とにずれが生じる。
しかし、実施の形態３に係る空気調和機１００では、冷媒量計算部１６が封入された冷媒の量を計算し、計算した冷媒の量に基づき地球温暖化影響度を計算するため、表示する地球温暖化影響度にずれは生じない。
【００２８】
なお、図７では、図４と同様に、空気調和機本体１０で地球温暖化影響度を計算する構成とした。しかし、図６と同様に、リモートコントローラ２０で地球温暖化影響度を計算する構成としてもよい。つまり、送信部１４は、記憶部１１が記憶した地球温暖化係数と、冷媒量計算部１６が計算した冷媒の量とをリモートコントローラ２０へ送信して、リモートコントローラ２０では、送信された地球温暖化係数と冷媒の量とから地球温暖化影響度を計算するとしてもよい。
【００２９】
実施の形態４．
図８は、実施の形態４に係る空気調和機１００の機能構成を示す図である。
図８に示す空気調和機１００では、リモートコントローラ２０の入力部２２が制御情報入力部２７、係数入力部２８を備える点が図４に示す空気調和機１００とは異なる。
【００３０】
制御情報入力部２７は、実施の形態１で入力部２２が入力すると説明した制御情報を入力する。係数入力部２８は、冷媒の種類に応じて決まっている地球温暖化係数を入力する。
送信部２５は、係数入力部２８が入力した地球温暖化係数を空気調和機本体１０へ送信し、受信部１５は送信された地球温暖化係数を受信する。記憶部１１は、受信した地球温暖化係数より、記憶している冷媒の量を更新する。そして、影響度計算部１２は、記憶部１１が記憶した地球温暖化係数と、更新された冷媒の量とから地球温暖化影響度を計算する。
そして、送信部１４は、影響度計算部１２が計算した地球温暖化影響度をリモートコントローラ２０へ送信して、リモートコントローラ２０の表示部２１に表示させる。
【００３１】
なお、制御情報入力部２７と係数入力部２８とは、別々のボタン等により構成されていてもよいし、共通のボタン等により構成されていてもよい。制御情報入力部２７と係数入力部２８とが共通のボタンにより構成されている場合には、操作の仕方により制御情報の入力と地球温暖化係数の入力とが切り替わるものとすればよい。
【００３２】
地球温暖化係数は理論的に定まるものではなく、所定の組織、機関等により決定された値である。そして、一旦決定された地球温暖化係数であっても、変更される場合もある。例えば、図３に示すように、ＩＰＣＣでは、１９９５年、２００１年、２００７年に地球温暖化係数を変更している。地球温暖化係数が変更された場合には、工場出荷時に記憶部１１が記憶した地球温暖化係数と、実際に用いられる地球温暖化係数とに不一致が生じる。その結果、上記実施の形態に係る空気調和機１００では、表示する地球温暖化影響度と、実際の地球温暖化影響度とにずれが生じる。
しかし、実施の形態４に係る空気調和機１００では、係数入力部２８が変更された地球温暖化係数を入力可能であり、入力した地球温暖化係数に基づき地球温暖化影響度を計算するため、表示する地球温暖化影響度にずれは生じない。
【００３３】
なお、図８では、図４と同様に、空気調和機本体１０で地球温暖化影響度を計算する構成とした。しかし、図６と同様に、リモートコントローラ２０で地球温暖化影響度を計算する構成としてもよい。
【００３４】
また、以上の実施の形態では、空気調和機本体１０が備える記憶部１１が地球温暖化係数や冷媒の量を記憶するとしたが、リモートコントローラ２０がＲＡＭ等の記憶部を備え、その記憶部が地球温暖化係数や冷媒の量を記憶する構成としてもよい。
【００３５】
以上をまとめると次のようになる。
空気調和機１００は、圧縮機、四方弁、蒸発器、凝縮器、膨張機を順次配管接続して冷凍サイクルを構成し、冷凍サイクルを循環する冷媒にフロンを用いた空気調和機であり、空気調和機の運転を制御するリモートコントローラを備え、封入されている冷媒の種類、量、地球温暖化係数が工場出荷時に予め制御部のメモリに記憶させたり、サイクルの温度等を検知して冷媒量を自動判定する運転を実施する空気調和機において、運転中に冷媒データを通信して、リモートコントローラの表示部に使用冷媒の地球温暖化影響度（ＣＯ２換算量）を表示することを特徴とする。
【００３６】
また、空気調和機１００の運転または停止時に、リモートコントローラを操作することで、リモートコントローラの表示部に冷媒の地球温暖化影響度を常時または一定時間表示することを特徴とする。
【００３７】
また、冷媒の地球温暖化係数が更新されたとき、地球温暖化係数を設定変更できることを特徴とする。
【００３８】
また、冷媒封入量、地球温暖化係数は別々にリモートコントローラに通信してリモートコントローラ側で積算して地球温暖化影響度に換算することを特徴とする。
【００３９】
また、冷媒封入量を室外機側で地球温暖化影響度に換算してリモートコントローラに通信することを特徴とする。
【００４０】
空気調和機１００は、ユーザがリモートコントローラを操作する際に、画面上に地球温暖化影響度（ＣＯ２換算量）を表示させるように構成したので、ユーザがリモートコントローラで簡単に地球温暖化影響度を認識することができる。そのため、冷媒漏れの定期点検促進や、サービス／廃棄時の冷媒の確実な回収につなげ、冷媒の大気放出による地球温暖化の防止に寄与するという効果を有する。
また、この発明の空気調和機は、冷媒の地球温暖化影響度の表示手段をリモートコントローラの表示部としたため、空気調和機本体の意匠性を損なわないという効果を有する。さらに、ラベル貼り付けによるコスト増加を防ぐことができる。
【符号の説明】
【００４１】
１  室外機、２  室内機、３  圧縮機、４  四方弁、５  第１熱交換器、６  膨張機構、７  第２熱交換器、１０  空気調和機本体、１１  記憶部、１２  影響度計算部、１３  通信部、１４  送信部、１５  受信部、１６  冷媒量計算部、２０  リモートコントローラ、２１  表示部、２２  入力部、２３  通信部、２４  受信部、２５  送信部、２６  影響度計算部、２７  制御情報入力部、２８  係数入力部、１００  空気調和機。
【図１】
2011058698.tif 000003
【図２】
2011058698.tif 000004
【図３】
2011058698.tif 000005
【図４】
2011058698.tif 000006
【図５】
2011058698.tif 000007
【図６】
2011058698.tif 000008
【図７】
2011058698.tif 000009
【図８】
2011058698.tif 000010